(57)【要約】  本発明は、家具要素を実現するためのモジュラー・システムであって、複数の様々な種類のモジュール要素を備え、各種類のモジュール要素が、少なくとも１つの底部モジュール１０、２０、３０、４０、５０、６０、７０、８０と上部カバー要素１１、２１、３１、４１、５１、６１、７１、８１とを提供し、前記底部モジュール１０、２０、３０、４０、５０、６０、７０、８０が、同じ底部モジュール又は上部カバー要素の下に提供される対応する固定ジョイント結合要素と結合する固定ジョイント結合要素を上に設けられ、前記様々な種類のモジュール要素が、少なくとも直線モジュール要素１０、２０と、４５°湾曲モジュール要素３０、４０と、円形固定ジョイントを有するモジュール要素７０、８０とを提供することを特徴とするモジュラー・システムに関する。
2009534086.tif 000002
【特許請求の範囲】
【請求項１】
家具要素を実現するためのモジュラー・システムであって、複数の様々な種類のモジュール要素を備え、各種類のモジュール要素が、少なくとも１つの底部モジュールと上部カバー要素とを提供し、前記底部モジュールが、前記底部モジュール又は前記上部カバー要素の下に提供される対応する固定ジョイント結合要素と結合する固定ジョイント結合要素を上に設けられ、前記様々な種類のモジュール要素が、少なくとも直線モジュール要素と、４５°湾曲モジュール要素と、円形固定ジョイントを有するモジュール要素とを提供することを特徴とするモジュラー・システム。
【請求項２】
さらに、右側及び左側ジョイント・モジュールが提供されることを特徴とする請求項１に記載の家具要素を実現するためのモジュラー・システム。
【請求項３】
前記モジュール要素が、プレスガラスから構成されることを特徴とする請求項１又は２に記載の家具要素を実現するためのモジュラー・システム。
【請求項４】
前記モジュール要素が内部中空であることを特徴とする請求項１から３までのいずれか一項に記載の家具要素を実現するためのモジュラー・システム。
【請求項５】
前記モジュール要素の１つ又は複数が、内部照明システムを設けられることを特徴とする請求項１から４までのいずれか一項に記載の家具要素を実現するためのモジュラー・システム。
【請求項６】
内部照明システムが、ＬＥＤ、白色ランプ、低消費ランプから構成されることを特徴とする請求項５に記載の家具要素を実現するためのモジュラー・システム。
【請求項７】
前記モジュール要素が、様々な色で実現されることを特徴とする請求項１から６までのいずれか一項に記載の家具要素を実現するためのモジュラー・システム。
【請求項８】
前記モジュール要素を互いに固定するために、固定ジョイントに加えて接着剤が提供されることを特徴とする請求項１から７までのいずれか一項に記載の家具要素を実現するためのモジュラー・システム。
【発明の詳細な説明】
【技術分野】
【０００１】
本発明は、家具要素を実現するためのモジュラー・システムに関する。
【０００２】
より具体的には、本発明は、好ましくは、しかし限定せずに、様々な色、表面仕上げ、及び可能な照明の挿入を伴って、直線又は曲線構造のための様々なモジュール要素から構成される家具要素、或いは様々な建築的な内部又は外部空間を実現するために、プレスガラス・モジュール要素を使用するモジュラー・システムに関する。
【発明の開示】
【課題を解決するための手段】
【０００３】
これら及び他の結果は、様々な色、表面仕上げ、及び可能な照明の挿入を伴って、家具要素、或いは様々な建築的な内部又は外部空間を実現するために、特にプレスガラスから構成されるモジュラー・システムを提案する本発明に従って得られる。
【０００４】
したがって、本発明の特定の目的は、家具要素を実現するためのモジュラー・システムであって、複数の様々な種類のモジュール要素を備え、各種類のモジュール要素が、少なくとも１つの底部モジュールと上部カバー要素とを提供し、前記底部モジュールが、同じ底部モジュール又は上部カバー要素の下に提供される対応する固定ジョイント結合要素と結合する固定ジョイント結合要素を上に設けられ、前記様々な種類のモジュール要素が、少なくとも直線モジュール要素と、４５°湾曲モジュール要素と、円形固定ジョイントを有するモジュール要素とを提供するモジュラー・システムである。
【０００５】
本発明のさらなる特徴は、従属請求項に記載されている。
【０００６】
次に、本発明を、その好ましい実施例に従って、添付図面の図を特に参照しながら、例示の目的で、しかし限定を目的とせずに説明する。
【実施例】
【０００７】
添付の図を見ると、本発明によるモジュラー・システムは、多数の形状及び構造を得るように組み合わせることができる一連のモジュールを備える。
【０００８】
図中、単一のモジュールが特定の結合システムと共に示されていることに留意すべきであり、しかし結合システムは別のものであってもよく、この機構によって本発明の範囲を過度に限定することはできないことは明らかである。
【０００９】
本発明によるモジュラー・システムは、好ましくは、プレスガラスから構成される。
【００１０】
様々な要素が図中に示されているが、常に同じ技術原理に基づいて、異なる形状を有する他の要素を提供することが可能である。
【００１１】
最初の図１ａ〜ｅ、２ａ〜ｅ、３ａ〜ｄ、及び４を見ると、上部カバー１１と下底部１２とを提供する半モジュール１０が示され、それらの組合せは図４に明確に示される。
【００１２】
次に、図５ａ〜ｅ、６ａ〜ｅ、７ａ〜ｄ、及び８を見ると、上部カバー２１と下底部２２とを提供する底部モジュール２０が示され、それらの組合せは図８に明確に示される。
【００１３】
４５°湾曲モジュール３０が、図９ａ〜ｅ、１０ａ〜ｅ、１１ａ〜ｄ、及び１２に示され、上部カバー３１と下底部３２とを提供し、それらの組合せは図１２に明確に示される。
【００１４】
次に、図１３ａ〜ｅ、１４ａ〜ｅ、１５ａ〜ｄ、及び１６を見ると、上部カバー４１と下底部４２とを提供する９０°湾曲モジュール４０が示され、それらの組合せは図１６に明確に示される。
【００１５】
左側ジョイント・モジュール５０が、図１７ａ〜ｅ、１８ａ〜ｅ、１９ａ〜ｄ、及び２０に示され、上部カバー５１と下底部５２とを提供し、それらの組合せは図２０に明確に示される。
【００１６】
右側ジョイント・モジュール６０が、図２１ａ〜ｅ、２２ａ〜ｅ、２３ａ〜ｄ、及び２４に示され、上部カバー６１と下底部６２とを提供し、それらの組合せは図２４に明確に示される。
【００１７】
最後に、図２５ａ〜ｅ、２６ａ〜ｅ、２７ａ〜ｄ、及び２８で、上部カバー７１を提供する円形固定ジョイント半モジュール７０と、上部カバー８１を提供する円形固定ジョイント底部モジュール８０とがそれぞれ示される。
【００１８】
円形固定ジョイント底部モジュール８０と、円形固定ジョイント半モジュール７０とは、円形固定ジョイントにより、ヒンジ原理に基づく１８０°範囲内での制限のない角度付きジョイントを実現し、システムの全ての他の要素１０、２０、３０、４０、５０、６０と完全に一体化することを可能にする。
【００１９】
前の図１〜２８に示される要素を使用し、自由に組み合わせて実現することができる構造の幾つかの実施例が、図２９〜３３に示される。
【００２０】
図３４で、プレスガラスなどの透明材料から構成される場合に要素１０、２０、３０、４０、５０、６０、７０、８０の各１つに照明システムを設けることができることが示され、照明システムは、この図ではランプ９０からなり、しかし技術的に実現可能な任意の他のシステムからなっていてもよい。
【００２１】
最後に、図３５は、本発明による幾つかの要素の組合せの図を示す。
【００２２】
観察することができるように、既述のようにプレスガラスから構成されることがある本発明によるモジュラー・システムは、水平方向と垂直方向との両方での要素１０、２０、３０、４０、５０、６０、７０、８０の構造的なモジュール性を使用して、固定ジョイントによって平面及び／又は曲面、カラム、ピラスター・ストリップ、基部、及び台座を実現することを可能にするように研究された要素から構成される。
【００２３】
したがって、様々な色を有する構造要素、代替モジュールを組み合わせて、建築学的空間内で構造要素を一体化して、無限の色彩効果を得ることが可能である。さらに、既述のように、要素１０、２０、３０、４０、５０、６０、７０、８０は中空であり、これは、ＬＥＤ、白色ランプ、低消費ランプなど様々な種類の照明源を収容することを可能にし、構成に一体化することができる又は単独で使用することができる照明モジュールを形成する。
【００２４】
大きい厚さを有するプレスガラス要素１０、２０、３０、４０、５０、６０、７０、８０を有するモジュラー・システムは、要素１０、２０、３０、４０、５０、６０、７０、８０が、雰囲気剤及び突然の熱変動に特に耐えられるようにする。
【００２５】
それらがプレスガラスから構成される場合、単一要素をプレス成形によって製造することができ、したがって、各要素１０、２０、３０、４０、５０、６０、７０、８０の寸法公差を制御することができ、寸法公差を非常に狭い範囲内で保ち、固定ジョイント・システムを非常に正確且つ耐性のあるものにする。
【００２６】
したがって、ガラス原料と再利用の可能性との両方に関して環境保護規則を満たして実現されるシステムが得られる。
【００２７】
さらに、照明するＬＥＤシステムを自律的に供給する受光及び蓄電器グループから構成される太陽電池モジュールを収容することが可能である。主電源がないことが、組立体のあらゆる点で上記のように実現されるモジュールを提供することを可能にする。
【００２８】
特定の固定ジョイント・システムは、特定の結合剤又は接着剤がない場合でさえ、実現される形状の安定性を得ることを可能にし、したがって、構造を後から変更すること、新たな寸法及び色の必要性に基づいてモジュールを追加又は除去することを可能にする。
【００２９】
さらに、本発明によるプレスガラス・モジュラー・システムは、その設計及び実現方法ゆえに、非常に簡単に梱包し、保管し、輸送することができる。
【００３０】
本発明を、その好ましい実施例に従って、例示の目的で、しかし限定を目的とせずに説明してきたが、頭記の特許請求の範囲で定義される当該範囲から逸脱することなく当業者が修正及び／又は変更を行うことができることを理解されたい。
【図面の簡単な説明】
【００３１】
【図１ａ】本発明によるシステムの第１のモジュールの斜視図である。
【図１ｂ】本発明によるシステムの第１のモジュールの前面図である。
【図１ｃ】本発明によるシステムの第１のモジュールの側面図である。
【図１ｄ】本発明によるシステムの第１のモジュールの上面図である。
【図１ｅ】本発明によるシステムの第１のモジュールの斜視図である。
【図２ａ】図１のモジュールのカバー要素の斜視図である。
【図２ｂ】図１のモジュールのカバー要素の前面図である。
【図２ｃ】図１のモジュールのカバー要素の側面図である。
【図２ｄ】図１のモジュールのカバー要素の上面図である。
【図２ｅ】図１のモジュールのカバー要素の斜視図である。
【図３ａ】図１のモジュールの底部要素の前面図である。
【図３ｂ】図１のモジュールの底部要素の側面図である。
【図３ｃ】図１のモジュールの底部要素の上面図である。
【図３ｄ】図１のモジュールの底部要素の斜視図である。
【図４】図１〜３に示される３つの要素の分解図である。
【図５ａ】本発明によるシステムの第２のモジュールの斜視図である。
【図５ｂ】本発明によるシステムの第２のモジュールの前面図である。
【図５ｃ】本発明によるシステムの第２のモジュールの側面図である。
【図５ｄ】本発明によるシステムの第２のモジュールの上面図である。
【図５ｅ】本発明によるシステムの第２のモジュールの斜視図である。
【図６ａ】図５のモジュールのカバー要素の斜視図である。
【図６ｂ】図５のモジュールのカバー要素の前面図である。
【図６ｃ】図５のモジュールのカバー要素の側面図である。
【図６ｄ】図５のモジュールのカバー要素の上面図である。
【図６ｅ】図５のモジュールのカバー要素の斜視図である。
【図７ａ】図５のモジュールの底部要素の前面図である。
【図７ｂ】図５のモジュールの底部要素の側面図である。
【図７ｃ】図５のモジュールの底部要素の上面図である。
【図７ｄ】図５のモジュールの底部要素の斜視図である。
【図８】図５〜７に示される３つの要素の分解図である。
【図９ａ】本発明によるシステムの第３のモジュールの斜視図である。
【図９ｂ】本発明によるシステムの第３のモジュールの前面図である。
【図９ｃ】本発明によるシステムの第３のモジュールの側面図である。
【図９ｄ】本発明によるシステムの第３のモジュールの上面図である。
【図９ｅ】本発明によるシステムの第３のモジュールの斜視図である。
【図１０ａ】図９のモジュールのカバー要素の斜視図である。
【図１０ｂ】図９のモジュールのカバー要素の前面図である。
【図１０ｃ】図９のモジュールのカバー要素の側面図である。
【図１０ｄ】図９のモジュールのカバー要素の上面図である。
【図１０ｅ】図９のモジュールのカバー要素の斜視図である。
【図１１ａ】図９のモジュールの底部要素の前面図である。
【図１１ｂ】図９のモジュールの底部要素の側面図である。
【図１１ｃ】図９のモジュールの底部要素の上面図である。
【図１１ｄ】図９のモジュールの底部要素の斜視図である。
【図１２】図９〜１１に示される３つの要素の分解図である。
【図１３ａ】本発明によるシステムの第４のモジュールの斜視図である。
【図１３ｂ】本発明によるシステムの第４のモジュールの前面図である。
【図１３ｃ】本発明によるシステムの第４のモジュールの側面図である。
【図１３ｄ】本発明によるシステムの第４のモジュールの上面図である。
【図１３ｅ】本発明によるシステムの第４のモジュールの斜視図である。
【図１４ａ】図１３のモジュールのカバー要素の斜視図である。
【図１４ｂ】図１３のモジュールのカバー要素の前面図である。
【図１４ｃ】図１３のモジュールのカバー要素の側面図である。
【図１４ｄ】図１３のモジュールのカバー要素の上面図である。
【図１４ｅ】図１３のモジュールのカバー要素の斜視図である。
【図１５ａ】図１３のモジュールの底部要素の前面図である。
【図１５ｂ】図１３のモジュールの底部要素の側面図である。
【図１５ｃ】図１３のモジュールの底部要素の上面図である。
【図１５ｄ】図１３のモジュールの底部要素の斜視図である。
【図１６】図１３〜１５に示される３つの要素の分解図である。
【図１７ａ】本発明によるシステムの第５のモジュールの斜視図である。
【図１７ｂ】本発明によるシステムの第５のモジュールの前面図である。
【図１７ｃ】本発明によるシステムの第５のモジュールの側面図である。
【図１７ｄ】本発明によるシステムの第５のモジュールの上面図である。
【図１７ｅ】本発明によるシステムの第５のモジュールの斜視図である。
【図１８ａ】図１７のモジュールのカバー要素の斜視図である。
【図１８ｂ】図１７のモジュールのカバー要素の前面図である。
【図１８ｃ】図１７のモジュールのカバー要素の側面図である。
【図１８ｄ】図１７のモジュールのカバー要素の上面図である。
【図１８ｅ】図１７のモジュールのカバー要素の斜視図である。
【図１９ａ】図１７のモジュールの底部要素の前面図である。
【図１９ｂ】図１７のモジュールの底部要素の側面図である。
【図１９ｃ】図１７のモジュールの底部要素の上面図である。
【図１９ｄ】図１７のモジュールの底部要素の斜視図である。
【図２０】図１７〜１９に示される３つの要素の分解図である。
【図２１ａ】本発明によるシステムの第６のモジュールの前面図である。
【図２１ｂ】本発明によるシステムの第６のモジュールの側面図である。
【図２１ｃ】本発明によるシステムの第６のモジュールの上面図である。
【図２１ｄ】本発明によるシステムの第６のモジュールの斜視図である。
【図２２ａ】図２１のモジュールのカバー要素の前面図である。
【図２２ｂ】図２１のモジュールのカバー要素の側面図である。
【図２２ｃ】図２１のモジュールのカバー要素の上面図である。
【図２２ｄ】図２１のモジュールのカバー要素の斜視図である。
【図２３ａ】図２１のモジュールの底部要素の前面図である。
【図２３ｂ】図２１のモジュールの底部要素の側面図である。
【図２３ｃ】図２１のモジュールの底部要素の上面図である。
【図２３ｄ】図２１のモジュールの底部要素の斜視図である。
【図２４】図２１〜２３に示される３つの要素の分解図である。
【図２５ａ】本発明によるシステムの第７のモジュールの前面図である。
【図２５ｂ】本発明によるシステムの第７のモジュールの側面図である。
【図２５ｃ】本発明によるシステムの第７のモジュールの上面図である。
【図２５ｄ】本発明によるシステムの第７のモジュールの斜視図である。
【図２６ａ】図２５のモジュールのカバー要素の前面図である。
【図２６ｂ】図２５のモジュールのカバー要素の側面図である。
【図２６ｃ】図２５のモジュールのカバー要素の上面図である。
【図２６ｄ】図２５のモジュールのカバー要素の斜視図である。
【図２７ａ】本発明によるシステムの第８のモジュールの前面図である。
【図２７ｂ】本発明によるシステムの第８のモジュールの側面図である。
【図２７ｃ】本発明によるシステムの第８のモジュールの上面図である。
【図２７ｄ】本発明によるシステムの第８のモジュールの斜視図である。
【図２８ａ】図２７のモジュールのカバー要素の前面図である。
【図２８ｂ】図２７のモジュールのカバー要素の側面図である。
【図２８ｃ】図２７のモジュールのカバー要素の上面図である。
【図２８ｄ】図２７のモジュールのカバー要素の斜視図である。
【図２９】本発明によるモジュラー・システムの１つの取り得る使用法を示す図である。
【図３０】本発明によるモジュラー・システムの１つの取り得る使用法を示す図である。
【図３１】本発明によるモジュラー・システムの１つの取り得る使用法を示す図である。
【図３２】本発明によるモジュラー・システムの１つの取り得る使用法を示す図である。
【図３３】本発明によるモジュラー・システムの１つの取り得る使用法を示す図である。
【図３４】本発明によるシステムの要素を照明するための構成を概略的に示す図である。
【図３５】本発明によるシステムの概略図である。
【図１ａ】
2009534086.tif 000003
【図１ｂ】
2009534086.tif 000004
【図１ｃ】
2009534086.tif 000005
【図１ｄ】
2009534086.tif 000006
【図１ｅ】
2009534086.tif 000007
【図２ａ】
2009534086.tif 000008
【図２ｂ】
2009534086.tif 000009
【図２ｃ】
2009534086.tif 000010
【図２ｄ】
2009534086.tif 000011
【図２ｅ】
2009534086.tif 000012
【図３ａ】
2009534086.tif 000013
【図３ｂ】
2009534086.tif 000014
【図３ｃ】
2009534086.tif 000015
【図３ｄ】
2009534086.tif 000016
【図４】
2009534086.tif 000017
【図５ａ】
2009534086.tif 000018
【図５ｂ】
2009534086.tif 000019
【図５ｃ】
2009534086.tif 000020
【図５ｄ】
2009534086.tif 000021
【図５ｅ】
2009534086.tif 000022
【図６ａ】
2009534086.tif 000023
【図６ｂ】
2009534086.tif 000024
【図６ｃ】
2009534086.tif 000025
【図６ｄ】
2009534086.tif 000026
【図６ｅ】
2009534086.tif 000027
【図７ａ】
2009534086.tif 000028
【図７ｂ】
2009534086.tif 000029
【図７ｃ】
2009534086.tif 000030
【図７ｄ】
2009534086.tif 000031
【図８】
2009534086.tif 000032
【図９ａ】
2009534086.tif 000033
【図９ｂ】
2009534086.tif 000034
【図９ｃ】
2009534086.tif 000035
【図９ｄ】
2009534086.tif 000036
【図９ｅ】
2009534086.tif 000037
【図１０ａ】
2009534086.tif 000038
【図１０ｂ】
2009534086.tif 000039
2009534086.tif 000040
【図１０ｄ】
2009534086.tif 000041
【図１０ｅ】
2009534086.tif 000042
【図１１ａ】
2009534086.tif 000043
【図１１ｂ】
2009534086.tif 000044
【図１１ｃ】
2009534086.tif 000045
【図１１ｄ】
2009534086.tif 000046
【図１２】
2009534086.tif 000047
【図１３ａ】
2009534086.tif 000048
【図１３ｂ】
2009534086.tif 000049
【図１３ｃ】
2009534086.tif 000050
【図１３ｄ】
2009534086.tif 000051
【図１３ｅ】
2009534086.tif 000052
【図１４ａ】
2009534086.tif 000053
【図１４ｂ】
2009534086.tif 000054
【図１４ｃ】
2009534086.tif 000055
【図１４ｄ】
2009534086.tif 000056
【図１４ｅ】
2009534086.tif 000057
【図１５ａ】
2009534086.tif 000058
【図１５ｂ】
2009534086.tif 000059
【図１５ｃ】
2009534086.tif 000060
【図１５ｄ】
2009534086.tif 000061
【図１６】
2009534086.tif 000062
【図１７ａ】
2009534086.tif 000063
【図１７ｂ】
2009534086.tif 000064
【図１７ｃ】
2009534086.tif 000065
【図１７ｄ】
2009534086.tif 000066
【図１８ａ】
2009534086.tif 000067
【図１８ｂ】
2009534086.tif 000068
【図１８ｃ】
2009534086.tif 000069
【図１８ｄ】
2009534086.tif 000070
【図１９ａ】
2009534086.tif 000071
【図１９ｂ】
2009534086.tif 000072
【図１９ｃ】
2009534086.tif 000073
【図１９ｄ】
2009534086.tif 000074
【図２０】
2009534086.tif 000075
【図２１ａ】
2009534086.tif 000076
【図２１ｂ】
2009534086.tif 000077
【図２１ｃ】
2009534086.tif 000078
【図２１ｄ】
2009534086.tif 000079
【図２２ａ】
2009534086.tif 000080
【図２２ｂ】
2009534086.tif 000081
【図２２ｃ】
2009534086.tif 000082
【図２２ｄ】
2009534086.tif 000083
2009534086.tif 000084
【図２４】
2009534086.tif 000085
【図２５ａ】
2009534086.tif 000086
【図２５ｂ】
2009534086.tif 000087
【図２５ｃ】
2009534086.tif 000088
【図２５ｄ】
2009534086.tif 000089
【図２６ａ】
2009534086.tif 000090
【図２６ｂ】
2009534086.tif 000091
【図２６ｃ】
2009534086.tif 000092
【図２６ｄ】
2009534086.tif 000093
【図２７ａ】
2009534086.tif 000094
【図２７ｂ】
2009534086.tif 000095
【図２７ｃ】
2009534086.tif 000096
【図２７ｄ】
2009534086.tif 000097
【図２８ａ】
2009534086.tif 000098
【図２８ｂ】
2009534086.tif 000099
【図２８ｃ】
2009534086.tif 000100
【図２８ｄ】
2009534086.tif 000101
【図２９】
2009534086.tif 000102
【図３０】
2009534086.tif 000103
【図３１】
2009534086.tif 000104
【図３２】
2009534086.tif 000105
【図３３】
2009534086.tif 000106
【図３４】
2009534086.tif 000107
【図３５】
2009534086.tif 000108
【手続補正書】
【提出日】平成20年2月25日(2008.2.25)
【手続補正１】
【補正対象書類名】特許請求の範囲
【補正対象項目名】全文
【補正方法】変更
【補正の内容】
【特許請求の範囲】
【請求項１】
複数の様々な種類のモジュール要素を備える家具要素を実現するためのモジュラー・システムであって、各種類のモジュール要素が、少なくとも１つの底部モジュール（１０、２０、３０、４０、５０、６０、７０、８０）と上部カバー要素（１１、２１、３１、４１、５１、６１、７１、８１）とを提供し、前記底部モジュール（１０、２０、３０、４０、５０、６０、７０、８０）が、前記底部モジュール又は前記上部カバー要素の下に提供される対応する固定ジョイント結合要素と結合する固定ジョイント結合要素を上に設けられ、前記様々な種類のモジュール要素が、少なくとも直線モジュール要素（１０、２０）と、４５°湾曲モジュール要素（３０、４０）と、円形固定ジョイントを有するモジュール要素（７０、８０）とを提供すること、及び前記モジュール要素が内部中空であることを特徴とするモジュラー・システム。
【請求項２】
さらに、右側及び左側ジョイント・モジュールが提供されることを特徴とする請求項１に記載の家具要素を実現するためのモジュラー・システム。
【請求項３】
前記モジュール要素が、プレスガラスから構成されることを特徴とする請求項１又は２に記載の家具要素を実現するためのモジュラー・システム。
【請求項４】
前記モジュール要素の１つ又は複数が、内部照明システムを設けられることを特徴とする請求項１から３までのいずれか一項に記載の家具要素を実現するためのモジュラー・システム。
【請求項５】
内部照明システムが、ＬＥＤ、白色ランプ、低消費ランプから構成されることを特徴とする請求項４に記載の家具要素を実現するためのモジュラー・システム。
【請求項６】
前記モジュール要素が、様々な色で実現されることを特徴とする請求項１から５までのいずれか一項に記載の家具要素を実現するためのモジュラー・システム。
【請求項７】
前記モジュール要素を互いに固定するために、前記固定ジョイントに加えて接着剤が提供されることを特徴とする請求項１から６までのいずれか一項に記載の家具要素を実現するためのモジュラー・システム。
【国際調査報告】
2009534086.tif 000109
2009534086.tif 000110
2009534086.tif 000111